(57)【要約】    【課題】      ＩＰ網を介して発呼する場合において市外局番の指定を省略し、ユーザの発呼動作を簡素化すること。    【解決手段】  ダイヤル番号判定部２０２において、ユーザから指定されたダイヤル番号が市外局番を含んでいるか判定し、そのダイヤル番号が市外局番を含んでいないと判定された場合には、発呼番号生成部２０４において、市外局番格納部２０３に格納された、発呼元のＩＰ電話装置１０１が設定されている場所の市外局番を当該ダイヤル番号に付加して発呼番号を生成し、ＩＰ電話制御部２０５において、その生成された発呼番号を用いてＩＰ網１０３を介して発呼を行う。  【選択図】      図２
2006005571.tif 000002
【特許請求の範囲】
【請求項１】
ユーザから指定されたダイヤル番号が市外局番を含んでいるか判定する判定手段と、前記ダイヤル番号が市外局番を含んでいない場合に市外局番を当該ダイヤル番号に付加して発呼番号を生成する生成手段と、前記発呼番号を用いてＩＰ網を介して発呼を行う制御手段と、を具備することを特徴とするＩＰ電話装置。
【請求項２】
前記判定手段は、ユーザから指定されたダイヤル番号の桁数を判断することで当該ダイヤル番号が市外局番を含んでいるか判定することを特徴とする請求項１記載のＩＰ電話装置。
【請求項３】
前記判定手段は、装置本体が設置されている場所の市外局番の桁数に応じて前記ダイヤル番号が市外局番を含んでいるか判定することを特徴とする請求項２記載のＩＰ電話装置。
【請求項４】
前記生成手段は、装置本体が設置されている場所の市外局番を前記ダイヤル番号に付加して前記発呼番号を生成することを特徴とする請求項１記載のＩＰ電話装置。
【請求項５】
ＰＳＴＮ網を介して通話を行うＰＳＴＮ接続手段と、ＩＰ網を介して通話を行うＩＰ接続手段と、前記ＩＰ接続手段により相手先に発呼する場合にユーザから指定されたダイヤル番号が市外局番を含んでいるか判定する判定手段と、前記ダイヤル番号が市外局番を含んでいない場合に市外局番を当該ダイヤル番号に付加して発呼番号を生成する生成手段と、前記発呼番号を用いてＩＰ網を介して発呼を行う制御手段と、を具備することを特徴とするＩＰ電話装置。
【請求項６】
ユーザから指定されたダイヤル番号が市外局番を含んでいるか判定する工程と、前記ダイヤル番号が市外局番を含んでいない場合に市外局番を当該ダイヤル番号に付加して発呼番号を生成する工程と、前記発呼番号を用いてＩＰ網を介して発呼を行う工程と、を具備することを特徴とするＩＰ電話装置を用いた発呼方法。
【請求項７】
ユーザから指定されたダイヤル番号の桁数を判断することで当該ダイヤル番号が市外局番を含んでいるか判定することを特徴とする請求項６記載のＩＰ電話装置を用いた発呼方法。
【請求項８】
装置本体が設置されている場所の市外局番の桁数に応じて前記ダイヤル番号が市外局番を含んでいるか判定することを特徴とする請求項７記載のＩＰ電話装置を用いた発呼方法。
【請求項９】
装置本体が設置されている場所の市外局番を前記ダイヤル番号に付加して前記発呼番号を生成することを特徴とする請求項６記載のＩＰ電話装置を用いた発呼方法。
【発明の詳細な説明】
【技術分野】
【０００１】
本発明は、ＩＰ網を介して通話するＩＰ電話装置及びＩＰ電話装置を用いた発呼方法に関する。
【背景技術】
【０００２】
近年、インターネットの急速な普及に伴い、ＩＰ網を介することで遠隔地と低料金で通話が可能であるＩＰ電話装置（以下、「ＩＰ電話」という）が注目されている。このようなＩＰ電話においては、ＩＰ網を介して発呼する機能と、ＰＳＴＮ網を介して発呼する機能とを備えるものがある。両者の機能の使い分けとしては、前者の機能が通常の発呼に用いられる一方、後者の機能が「１１９」番や「１１０」番等の緊急時の発呼に用いられることが一般的である。なお、前者の機能を用いて発呼を行う場合には、発呼先の電話番号を市外局番から指定した上で発呼することが必要となっている。
【０００３】
一方、携帯電話を用いて発呼する場合においても、通常、発呼先の電話番号を市外局番から指定した上で発呼することが必要となっている。従来、この市外局番の指定に伴う煩雑さを解消する電話機が提案されている（例えば、特許文献１参照）。かかる電話機においては、指定されたダイヤル番号に市外局番が存在していないことを検出すると、市外局番を自動的に付加して発呼動作を行うようになっている。
【特許文献１】特開２００３−６０７７４号公報
【発明の開示】
【発明が解決しようとする課題】
【０００４】
しかしながら、従来のＩＰ電話においては、依然としてＩＰ網を介して発呼する場合に市外局番の指定が要求されているため、ユーザの発呼動作が煩雑になるという問題がある。
【０００５】
特に、従来、通常の発呼を、ＰＳＴＮ網を介して行っていたユーザにとっては、同一の市外局番が割り当てられている発呼先に対しては、市外局番を省略して発呼を行うことが一般的である。しかし、ＩＰ電話を用いてこのように市外局番を省略して発呼を行った場合には、発呼先を特定することができず、所望の相手と通話することができないという問題がある。
【０００６】
本発明は、かかる問題点に鑑みて為されたものであり、ＩＰ網を介して発呼する場合において市外局番の指定を省略し、ユーザの発呼動作を簡素化することができるＩＰ電話装置及びＩＰ電話装置を用いた発呼方法を提供することを目的とする。
【課題を解決するための手段】
【０００７】
本発明は、ユーザから指定されたダイヤル番号が市外局番を含んでいるか判定し、そのダイヤル番号が市外局番を含んでいない場合に市外局番を当該ダイヤル番号に付加して発呼番号を生成し、その発呼番号を用いてＩＰ網を介して発呼を行うようにしたものである。
【発明の効果】
【０００８】
本発明に係るＩＰ電話装置及びＩＰ電話装置を用いた発呼方法によれば、ＩＰ網を介して発呼する場合において市外局番の指定を省略し、ユーザの発呼動作を簡素化することができる。
【発明を実施するための最良の形態】
【０００９】
本発明の第１の態様に係るＩＰ電話装置は、ユーザから指定されたダイヤル番号が市外局番を含んでいるか判定する判定手段と、前記ダイヤル番号が市外局番を含んでいない場合に市外局番を当該ダイヤル番号に付加して発呼番号を生成する生成手段と、前記発呼番号を用いてＩＰ網を介して発呼を行う制御手段と、を具備する構成を採る。
【００１０】
この構成によれば、ＩＰ網を介して発呼を行う場合において、ユーザから指定されたダイヤル番号が市外局番を含んでいない場合には、当該ダイヤル番号に市外局番を付加してＩＰ発呼を行う。このため、ＩＰ網を介して発呼する場合において市外局番の指定を省略することができるので、ユーザの発呼動作を簡素化することができる。
【００１１】
本発明の第２の態様は、第１の態様に係るＩＰ電話装置において、前記判定手段は、ユーザから指定されたダイヤル番号の桁数を判断することで当該ダイヤル番号が市外局番を含んでいるか判定する構成を採る。
【００１２】
この構成によれば、ユーザから指定されたダイヤル番号の桁数を判断することで、当該ダイヤル番号が市外局番を含んでいるかが判定されるので、ダイヤル番号の桁数を判断するという簡単な方法により市外局番が含まれているか判断することができる。
【００１３】
本発明の第３の態様は、第２の態様に係るＩＰ電話装置において、前記判定手段は、装置本体が設置されている場所の市外局番の桁数に応じて前記ダイヤル番号が市外局番を含んでいるか判定する構成を採る。
【００１４】
この構成によれば、装置本体が設置されている場所の市外局番の桁数に応じて前記ダイヤル番号が市外局番を含んでいるかが判定されるので、装置本体の設置場所に応じて適切にダイヤル番号の桁数を判断することができる。
【００１５】
本発明の第４の態様は、第１の態様に係るＩＰ電話装置において、前記生成手段は、装置本体が設置されている場所の市外局番を前記ダイヤル番号に付加して前記発呼番号を生成する構成を採る。
【００１６】
この構成によれば、装置本体が設置されている場所の市外局番をダイヤル番号に付加して発呼番号が生成されるので、当該発呼番号を用いて市外局番が同一である発呼先に対して適切にＩＰ網を介して発呼することができる。
【００１７】
本発明の第５の態様に係るＩＰ電話装置は、ＰＳＴＮ網を介して通話を行うＰＳＴＮ接続手段と、ＩＰ網を介して通話を行うＩＰ接続手段と、前記ＩＰ接続手段により相手先に発呼する場合にユーザから指定されたダイヤル番号が市外局番を含んでいるか判定する判定手段と、前記ダイヤル番号が市外局番を含んでいない場合に市外局番を当該ダイヤル番号に付加して発呼番号を生成する生成手段と、前記発呼番号を用いてＩＰ網を介して発呼を行う制御手段と、を具備する構成を採る。
【００１８】
この構成によれば、ＩＰ網を介して発呼を行う場合において、ユーザから指定されたダイヤル番号が市外局番を含んでいない場合には、当該ダイヤル番号に市外局番を付加してＩＰ発呼を行う。このため、ＩＰ網を介して発呼する場合において市外局番の指定を省略することができるので、ユーザの発呼動作を簡素化することができる。
【００１９】
本発明の第６の態様に係るＩＰ電話装置を用いた発呼方法は、ユーザから指定されたダイヤル番号が市外局番を含んでいるか判定する工程と、前記ダイヤル番号が市外局番を含んでいない場合に市外局番を当該ダイヤル番号に付加して発呼番号を生成する工程と、前記発呼番号を用いてＩＰ網を介して発呼を行う工程と、を具備するものである。
【００２０】
本発明の第７の態様は、第６の態様に係るＩＰ電話装置を用いた発呼方法において、ユーザから指定されたダイヤル番号の桁数を判断することで当該ダイヤル番号が市外局番を含んでいるか判定するものである。
【００２１】
本発明の第８の態様は、第７の態様に係るＩＰ電話装置を用いた発呼方法において、装置本体が設置されている場所の市外局番の桁数に応じて前記ダイヤル番号が市外局番を含んでいるか判定するものである。
【００２２】
本発明の第９の態様は、第６の態様に係るＩＰ電話装置を用いた発呼方法において、装置本体が設置されている場所の市外局番を前記ダイヤル番号に付加して前記発呼番号を生成するものである。
【００２３】
以下、本発明の実施の形態について図面を参照して詳細に説明する。
【００２４】
図１は、本発明の一実施の形態に係るＩＰ電話が適用されるネットワークの構成を示す図である。
【００２５】
同図に示すように、本実施の形態に係るＩＰ電話が適用されるネットワークにおいては、複数のＩＰ電話１０１及び１０２がＩＰ網１０３及びＰＳＴＮ網１０４を介して接続されている。なお、図１においては、２台のＩＰ電話が接続された場合について示しているが、３台以上のＩＰ電話が接続されていてもよい。
【００２６】
ＩＰ電話１０１及び１０２は、それぞれＩＰ網１０３を介して発呼する機能と、ＰＳＴＮ網１０４を介して発呼する機能とを備えている。特に、以下の説明においては、前者の機能が通常の発呼に用いられる一方、後者の機能が「１１９」番や「１１０」番等の緊急時の発呼に用いられる場合について説明する。
【００２７】
ＩＰ電話１０１及び１０２は、同一のＩＰ電話サービスと契約しており、双方にいわゆる「０ＡＢＪ」番号が割り当てられているものとする。ここでは、ＩＰ網１０３を介した通話を行う際に用いられる電話番号としてそれぞれ「０３１０００１０００」及び「０３２０００２０００」が割り当てられているものとする。特に、ＩＰ電話１０１及び１０２は、東京都２３区内に設置されているものとし、市外局番として「０３」が割り当てられているものとする。
【００２８】
図２は、本実施の形態に係るＩＰ電話１０１の主要な構成を示すブロック図である。なお、ＩＰ電話１０２についても、ＩＰ電話１０１と同様の構成を有するものとする。
【００２９】
同図において、ダイヤル番号受付部２０１は、本ＩＰ電話１０１上のテンキーなどからユーザにより指定されるダイヤル番号を受け付ける。ダイヤル番号判定部２０２は、ダイヤル番号受付部２０１が受け付けたダイヤル番号に基づいてＩＰ網１０３を介して行われる発呼（以下、「ＩＰ発呼」という）であるか、ＰＳＴＮ網１０４を介して行われる発呼（以下、「ＰＳＴＮ発呼」という）であるかを判定する。また、ダイヤル番号受付部２０１が受け付けたダイヤル番号に市外局番が指定されているか否かを判定する。
【００３０】
市外局番格納部２０３は、本ＩＰ電話１０１に割り当てられた電話番号「０３１０００１０００」のうち、市外局番「０３」を格納する。発呼番号生成部２０４は、ダイヤル番号判定部２０２における判定結果に応じて指定されたダイヤル番号から発呼番号を生成する。具体的には、ダイヤル番号判定部２０２から市外局番が指定されていない旨の通知に応じて、市外局番格納部２０３内の市外局番「０３」をダイヤル番号に付加して発呼番号を生成する。なお、ダイヤル番号判定部２０２から市外局番が指定されている旨の通知を受けた場合には指定されたダイヤル番号をそのまま発呼番号に設定する。
【００３１】
ＩＰ電話制御部２０５は、ＩＰ網１０３を介して音声通話を行う際に必要となる全ての動作を制御する。特に、ＩＰ電話制御部２０５は、ダイヤル番号判定部２０２からのＩＰ発呼である旨の通知に応じて、発呼番号生成部２０４で生成（設定）された発呼番号を用いてＩＰ網１０３上のサーバ（例えば、ＳＩＰサーバ）との間で呼制御を行う。ＰＳＴＮ電話制御部２０６は、ＰＳＴＮ網１０４を介して音声通話を行う際に必要となる全ての動作を制御する。特に、ＰＳＴＮ電話制御部２０６は、ダイヤル番号判定部２０２からのＰＳＴＮ発呼である旨の通知に応じて、指定されたダイヤル番号を用いて発呼先の電話装置との間で呼制御を行う。
【００３２】
図３は、本実施の形態に係るＩＰ電話１０１がＩＰ発呼を行う場合の動作について説明するためのフロー図である。ここでは、ＩＰ電話１０１がＩＰ電話１０２に対してＩＰ発呼を行う場合について説明する。
【００３３】
ＩＰ電話１０１がＩＰ電話１０２に対してＩＰ発呼を行う場合、ＩＰ電話１０１は、まず、ユーザからダイヤル番号を受け付ける（ＳＴ３０１）。ここでは、ユーザがＩＰ電話１０２の電話番号のうち、市外局番を含めないでダイヤル番号を指定したものとする。すなわち、ユーザは、ダイヤル番号として、市外局番「０３」が含んでいない「２０００２０００」を指定したものとする。
【００３４】
ダイヤル番号を受け付けると、ＩＰ電話１０１は、当該発呼がＩＰ発呼であるか判断する（ＳＴ３０２）。ＩＰ発呼であるかを判断することで、当該発呼がＩＰ発呼であるか、ＰＳＴＮ発呼であるかを判断している。かかる判断は、ダイヤル番号判定部２０２で行われる。
【００３５】
ＩＰ発呼であるかを判断する手法としては、どのような手法を採用してもよい。本実施の形態においては、上述のように、通常の発呼にＩＰ発呼を用いる一方、緊急時の発呼にＰＳＴＮ発呼を用いる。このため、例えば、ＰＳＴＮ発呼の場合のみ、ダイヤル番号の前に特定のボタンを選択するように設定することが考えられる。ダイヤル番号判定部２０２は、この特定のボタンが選択されたことを検出すると、ＰＳＴＮ発呼であると判断する。逆に、この特定のボタンが選択されないことを検出すると、ＩＰ発呼であると判断する。あるいは緊急番号は１ＸＹの１で始まる３桁の番号であるから、この条件を検出することで特定のボタンを選択せずにＰＳＴＮ発呼する。このような手段選択の背景としては現在、ＩＰ電話では緊急電話が対応されていない事、緊急時にはユーザは動揺しているので、ボタンの選択をせずにダイヤルしてしまう可能性による誤操作回避がある。
【００３６】
ＩＰ発呼であると判断すると、ＩＰ電話１０１は、市外局番判定処理を行う（ＳＴ３０３）。市外局番判定処理とは、指定されたダイヤル番号が市外局番を含んでいるかを判定する処理である。この市外局番判定処理は、ダイヤル番号判定部２０２により行われる。市外局番判定処理としては、どのような手法を採用してもよい。例えば、指定されたダイヤル番号の桁数を判断することで、そのダイヤル番号が市外局番を含んでいるかを判断することが考えられる。
【００３７】
東京都２３区内の電話番号及び神奈川県横浜市の電話番号を例にして説明する。東京都２３区内における電話番号は、市外局番「０３」を含めて１０桁で構成されている。従って、ダイヤル番号が市外局番を含んでいない場合にはその桁数は８桁である。一方、神奈川県横浜市の電話番号は、市外局番「０４５」を含めて１０桁で構成されている。従って、ダイヤル番号が市外局番を含んでいない場合にはその桁数は７桁である。ダイヤル番号判定部２０２は、ＩＰ電話１０１の設置場所に応じて指定されたダイヤル番号の桁数を判断することで、そのダイヤル番号が市外局番を含んでいるかを判断することが可能となる。
【００３８】
市外局番判定処理を行った後、ＩＰ電話１０１は、その判定結果を判断する。より具体的には、指定されたダイヤル番号が市外局番を含んでいたかを判断する（ＳＴ３０４）。ここでは、ＩＰ電話１０１が東京都２３区内に設置されており、指定されたダイヤル番号が８桁（２０００２０００）であるので、ダイヤル番号判定部２０２は、指定されたダイヤル番号が市外局番を含んでいないと判断する。
【００３９】
市外局番を含んでいない場合には、ＩＰ電話１０１は、指定されたダイヤル番号に市外局番を付加する（ＳＴ３０５）。この市外局番の付加は、発呼番号生成部２０４により行われる。発呼番号生成部２０４は、指定されたダイヤル番号「２０００２０００」に、市外局番格納部２０３に格納された市外局番「０３」を付加する。これにより、発呼番号「０３２０００２０００」が生成される。
【００４０】
発呼番号を生成した後、ＩＰ電話１０１は、当該発呼番号「０３２０００２０００」を用いてＩＰ発呼を行う（ＳＴ３０６）。かかるＩＰ発呼は、ＩＰ電話制御部２０５により行われる。ＩＰ発呼を行った後、ＩＰ網１０３上のサーバとの呼制御を経て、ＩＰ電話１０２との間で通話可能状態となる。
【００４１】
なお、ＳＴ３０４の判断において、指定されたダイヤル番号が市外局番を含んでいると判断された場合には、ＩＰ電話１０１は、直接ＳＴ３０６に移行し、当該ダイヤル番号を用いてＩＰ発呼を行う。この場合にも、上述の場合と同様に、ＩＰ網１０３上のサーバとの呼制御を経て、ＩＰ電話１０２との間で通話可能状態となる。
【００４２】
また、ＳＴ３０２の判断において、当該発呼がＰＳＴＮ発呼であると判断された場合には、ＩＰ電話１０１は、指定されたダイヤル番号を用いてＰＳＴＮ発呼を行う（ＳＴ３０７）。かかるＰＳＴＮ発呼は、ＰＳＴＮ電話制御部２０６により行われる。このＰＳＴＮ発呼を行った後、発呼先との呼制御を経て、当該発呼先との間で通話可能状態となる。
【００４３】
このように本実施の形態に係るＩＰ電話１０１によれば、ＩＰ網１０３を介して発呼を行う場合において、指定されたダイヤル番号が市外局番を含んでいない場合には、当該ダイヤル番号に市外局番を付加してＩＰ発呼を行う。このため、ＩＰ網１０３を介して発呼する場合において市外局番の指定を省略することができるので、ユーザの発呼動作を簡素化することができる。
【００４４】
また、本実施の形態に係るＩＰ電話１０１によれば、ユーザから指定されたダイヤル番号の桁数を判断することで、当該ダイヤル番号が市外局番を含んでいるかが判定されるので、ダイヤル番号の桁数を判断するという簡単な方法により市外局番が含まれているか判断することができる。
【００４５】
特に、本実施の形態に係るＩＰ電話１０１によれば、装置本体が設置されている場所の市外局番の桁数に応じて、ユーザから指定されたダイヤル番号が市外局番を含んでいるかが判定されるので、装置本体の設置場所に応じて適切にダイヤル番号の桁数を判断することができる。
【００４６】
さらに、本実施の形態に係るＩＰ電話１０１によれば、装置本体が設置されている場所の市外局番を、ユーザから指定されたダイヤル番号に付加して発呼番号が生成されるので、当該発呼番号を用いて市外局番が同一である発呼先に対して適切にＩＰ網１０３を介して発呼することができる。
【００４７】
なお、以上の説明におけるＩＰ電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【産業上の利用可能性】
【００４８】
本発明に係るＩＰ電話装置及びＩＰ電話装置を用いた発呼方法によれば、ＩＰ網を介して発呼する場合において市外局番の指定を省略し、ユーザの発呼動作を簡素化することができ、ユーザの利便性に優れたＩＰ電話装置等を提供できる点で有用である。
【図面の簡単な説明】
【００４９】
【図１】本発明の一実施の形態に係るＩＰ電話が適用されるネットワークの構成を示す図
【図２】上記実施の形態に係るＩＰ電話の主要な構成を示すブロック図
【図３】上記実施の形態に係るＩＰ電話がＩＰ発呼を行う場合の動作について説明するためのフロー図
【符号の説明】
【００５０】
１０１，１０２  ＩＰ電話装置（ＩＰ電話）
１０３  ＩＰ網
１０４  ＰＳＴＮ網
２０１  ダイヤル番号受付部
２０２  ダイヤル番号判定部
２０３  市外局番格納部
２０４  発呼番号生成部
２０５  ＩＰ電話制御部
２０６  ＰＳＴＮ電話制御部
【図１】
2006005571.tif 000003
【図２】
2006005571.tif 000004
【図３】
2006005571.tif 000005